(57)【要約】【課題】墓地の狭い空きスペースなどを有効活用して設置できる新規な共同墓の提供。【解決手段】周囲を区画する腰石部１０と、その腰石部１０内に縦横に設けられた複数の納骨穴２０と、各納骨穴２０を開閉自在に塞ぐ蓋台と３０、各蓋台３０上に設けられる石碑４０と、各納骨穴２０にそれぞれ収容される筒状のカプセル５０とを有し、そのカプセル５０には遺骨を粉砕した粉骨を収容する。このような構成によれば、複数の遺骨を共同で狭いスペースにコンパクトに納骨できるため、墓じまいなどによって生じた空きスペースを有効活用できる。【選択図】図１
2019206861.tif 000002
【特許請求の範囲】
【請求項１】
周囲を区画する腰石部と、前記腰石部内に縦横に設けられた複数の納骨穴と、前記各納骨穴を開閉自在に塞ぐ蓋台と、前記各蓋台上に設けられる石碑と、前記各納骨穴にそれぞれ収容される筒状のカプセルとを有し、前記カプセルには遺骨を粉砕した粉骨を収容することを特徴とする共同墓。
【請求項２】
請求項１に記載の共同墓において、
前記腰石部は、前後一対の腰石と、左右一対の腰石からなる矩形状になっており、前記各石碑は前記前腰石方向にテーパー状に傾斜すると共に、各各石碑にはその納骨穴に収容された粉骨に関する情報が記載されていることを特徴とする共同墓。
【発明の詳細な説明】
【技術分野】
【０００１】
本発明は、複数の遺骨をコンパクトにまとめて納骨できる新規な合同墓に関する。
【背景技術】
【０００２】
近年、都会などでは家族用のお墓を持たない人が増えており、葬儀後に遺骨をそのまま自宅で安置したままで供養の仕方に悩んでいるケースが多くなっている。また、先祖代々のお墓があってもそれが遠方の場合には、お参りが困難であることから自宅近くに移動して供養したいとの要望も多い。しかし、墓の購入費用が高額であるとか、墓の後継者が不在、あるいは自分の子どもにはなるべく負担をかけたくないなどとの理由により、新たな墓を購入するのにためらいがある人も少なくない。
【０００３】
一方、遺骨をお墓に埋葬して供養する方法以外の供養方法として、従来では合祀墓、樹木葬、納骨堂などを利用する方法が知られている。しかし、合祀墓では他人の骨と混ざってしまうことから抵抗感を持つ人が多く、また、樹木葬は形態は数多くあるが、その殆どが埋葬された場所が見た目にどこにあるかが分かりく、お参りも個々のお墓ではなく、樹木葬全体に向かってする形になっているものが多いため、お墓参りを実感しにくい。さらに一度埋葬されると再び取り出すことが困難な場合も多く、平均的な価格の面でもそれなりに費用がかかるため経済的負担は低くない。また、納骨堂を利用する方法では、管理費がかかる上に、利用料金も安価なお墓を購入できるほどの高価格設定のところが多い。
【０００４】
このため、例えば以下の特許文献１では、様々な事情により墓を持てない人々に対して安価で独立した納骨部を有する集合墓を利用する方法が提案されている。また、以下の特許文献２では、故人毎に区切られた納骨室を野外に設置し、その設置場所で墓参りできるようにした合祀墓を利用する方法が提案されている。
【先行技術文献】
【特許文献】
【０００５】
【特許文献１】実用新案登録第３１７００１７号公報
【特許文献２】特開２００９−２３５６９７号公報
【発明の概要】
【発明が解決しようとする課題】
【０００６】
しかしながら、前記特許文献に示すような形態の集合墓や合祀墓は、大きなモニュメントや供養塔を中心にその周囲に比較的広い敷地を要する構造となっている。そのため、これらを設置するためには、墓地の一部にある程度の大きさの敷地が必要となり、墓じまいなどで生じた既存の墓地の狭いスペースには設置できない。
【０００７】
そこで、本発明はこれらの課題を解決するために案出されたものであり、その目的は、墓地の狭い空きスペースなどを有効活用して設置できる新規な共同墓を提供するものである。
【課題を解決するための手段】
【０００８】
近年、後継者がいないとか遠方のために墓参りができないといった理由でお墓を片付けて更地にし、お寺や墓地の管理者に敷地を返却するといった墓じまいのケースが増えてきている。この墓じまいが行われた敷地は、次にそのお墓を購入する人が現れるまでは空き地状態となるため、墓じまいした空き地が増えるとその場所の雑草の草刈り作業などの管理が負担と大きくなってくる。また、都会のような土地が高い地域では、墓じまいによって空きが生じても、その費用が高額となり、簡単に購入できないといった問題がある。
【０００９】
そこで、これらの課題を解決するために第１の発明は、周囲を区画する腰石部と、前記腰石部内に縦横に設けられた複数の納骨穴と、前記各納骨穴を開閉自在に塞ぐ蓋台と、前記各蓋台上に設けられる石碑と、前記各納骨穴にそれぞれ収容される筒状のカプセルとを有し、前記カプセルには遺骨を粉砕した粉骨を収容することを特徴とする共同墓である。このような構成によれば、複数の遺骨を共同で狭いスペースにコンパクトに納骨できるため、墓じまいなどによって生じた空きスペースを有効活用できる。
【００１０】
第２の発明は、第１の発明において、前記腰石部は、前後一対の腰石と、左右一対の腰石からなる矩形状になっており、前記各石碑は前記前腰石方向にテーパー状に傾斜すると共に、各石碑にはその納骨穴に収容された粉骨に関する情報が記載されていることを特徴とする共同墓である。このような構成によれば、遺族などが墓参りにきた際に前腰石側からみて各石碑が見やすくなるため、目的とする故人の納骨位置を容易に確認することができる。
【発明の効果】
【００１１】
本発明によれば、複数の遺骨を共同で狭いスペースにコンパクトに納骨できるため、墓じまいなどによって生じた空きスペースを有効活用できる。また、遺族などが墓参りにきた際に前腰石側からみて各石碑が見やすくなるため、目的とする故人の納骨位置を容易に確認することができる。
【図面の簡単な説明】
【００１２】
【図１】本発明に係る共同墓１００の実施の一形態を示す斜視図である。
【図２】本発明に係る共同墓１００の実施の一形態を示す平面図である。
【図３】図２中Ａ−Ａ線断面図である。
【図４】図１中Ｓ部を示す拡大図である。
【図５】カプセル５０を示す斜視図である。
【図６】図３中Ｓ部を示す拡大図である。
【図７】本発明に係る共同墓１００の他の実施形態を示す斜視図である。
【図８】合祀部６０の一例を示す斜視図である。
【発明を実施するための形態】
【００１３】
次に、本発明の実施の形態を添付図面を参照しながら説明する。図１乃至図６は本発明に係る共同墓１００の実施の一形態を示したものであり、図１はその斜視図、図２はその平面図、図３は図２中Ａ−Ａ線断面図、図４は図１中Ｓ部拡大図である。
【００１４】
図示するようにこの共同墓１００は、周囲を矩形状に区画する腰石部１０と、この腰石部１０内に縦横に設けられた複数の納骨穴２０，２０…と、この各納骨穴２０，２０…を開閉自在に塞ぐ蓋台３０と、これら各蓋台３０上に設けられる石碑４０と、前記各納骨穴２０，２０…にそれぞれ収容される筒状のカプセル５０とから主に構成されている。
【００１５】
腰石部１０は、例えば幅１２００ｍｍ×奥行き１２００ｍｍ程度の大きさの正方形状になっており、手前側に位置する前腰石１１と、前腰石１１の奥に位置する後腰石１２と、前腰石１１と後腰石１２の左端側を連結する左腰石１３と、前腰石１１と後腰石１２の右端側を連結する右腰石１４といった、左右一対および前後一対の合計４つの腰石から構成されている。
【００１６】
このうち左腰石１３と右腰石１４は、その長さおよび幅、高さともほぼ同一（例えば、長さ１０９７ｍｍ×幅１００ｍｍ×高さ３００ｍｍ）となっているが、前腰石１１はこれよりも高さがやや低く、例えば２００ｍｍなっている。一方、後腰石１２は、その上面はほぼ半円形に高く（例えば７００ｍｍ）盛り上がっていると共に、その盛り上がった部分の前腰石１１に面する表面には銘板１５が設けられている。
【００１７】
また、この前腰石１１の手前側には、これと密着するように平板状の拝石１６が設けられていると共に、この拝石１６上にはアーチ状の香炉が設けられており、供物や線香、花などが手向けられるようになっている。なお、この腰石部１０を構成する各部の材料は、従来の墓石に用いられている花崗岩や閃緑岩、斑レイ岩、安山岩の他にコンクリートや金属その他の安価な材料であっても良い。
【００１８】
納骨穴２０，２０…は、この腰石部１０の内側に入れられた高さ約２００ｍｍ程度の土砂２１に縦横に等間隔に形成されており、その内部に図５に示すような円筒状のカプセル５０を収容できるようになっている。具体的には、図３および図６に示すように腰石部１０の内側には複数の仕切板２２，２２…が格子状に設けられており、その仕切板２２，２２…で仕切られた各区画内に土砂２１が充填されると共に、その土砂の２１略中央部に断面円形の納骨穴２０が形成されている。
【００１９】
カプセル５０は円筒形状になっており、図６に示すように納骨穴２０内にその上部開口部から縦に収容できるようになっている。このカプセル５０は、ステンレススチールや陶器などの耐食性に優れた材料から構成されており、その内部には、遺骨を粉砕した粉骨が収容されている。具体的にはこのカプセル５０は、図５に示すようにカプセル本体５１と、蓋体５２とから構成されており、カプセル本体５１内に粉骨を収容した後、その開口部に蓋体５２を螺合することで水分などが侵入しないように粉骨を密閉収容できる構造となっている。
【００２０】
ここで、このカプセル５０のサイズとしては成人１人の粉骨を収容できる程度の大きさであれば特に限定するものではなく、例えば外径約８５ｍｍ×高さ約１８０ｍｍ、内容量８００ｍＬ程度のものが適当である。従って、納骨穴２０のサイズもこのカプセル５０を容易に収容できる程度の大きさであればよく、例えば外径約１００ｍｍ×深さ約２００ｍｍ程度の大きさであれば十分である。
【００２１】
各納骨穴２０，２０…は、図６に示すようにそれぞれを蓋台３０によって開閉自在に塞がれている。この蓋台３０は図４に示すように略正方形状の石板または金属板から構成されており、図２に示すように各納骨穴２０，２０…と対となって腰石部１０内に敷き詰められるように配置されている。
【００２２】
また、この蓋台３０上には、図４に示すように平面矩形状の石碑４０が一体的に設けられている。この石碑４０は、蓋台３０と同じ石材の他、耐食性に優れたステンレススチールなどから構成されている。この石碑４０はその上面が図１および図３に示すように前腰石１１方向にテーパー状に傾斜すると共に、その傾斜面にはその納骨穴２０に収容された粉骨に関する情報が記載されている。具体的には、納骨されている故人の名前や没年月日などが記載されている。
【００２３】
図１および図２に示す例では、この腰石部１０内には、納骨穴２０が縦横にそれぞれ８つずつ合計６４個等間隔に形成されていることから、これら各納骨穴２０，２０…と対になるように合計６４個の蓋台３０および石碑４０が密に敷き詰められるように配置されている。
【００２４】
このような構成をした本発明の共同墓１００によれば、複数の遺骨を共同で狭いスペースにコンパクトに納骨できるため、墓じまいなどによって生じた空きスペースを有効活用できる。また、各石碑４０がテーパー状に傾斜していることから、遺族などが墓参りにきた際に前腰石１１側からみて各石碑４０が見やすくなるため、目的とする故人の納骨位置を容易に確認することができる。
【００２５】
また、腰石部１０を構成する前腰石１１、後腰石１２、左腰石１３、右腰石１４の長さを適宜変更するだけでその大きさや自在に調整できるため、墓じまいによって生じた様々な大きさのスペースに容易に適用させてその敷地を有効利用できる。これによって寺院や墓地の管理者側にとっては狭い区画でも収益を上げることができ、また、利用者側にとっては安価に遺骨を納骨・管理できる。
【００２６】
さらに、寺院側にとっては新たに納骨堂を建築する場合に比べて初期投資コストを格段に安く抑えることができる。また、カプセル式納骨のため、合祀後に新しい仏様を迎えることができ、それによって寺院にも定期的な収入が見込める。また、樹木葬のような草木を使用しないため、管理も容易になる。
【００２７】
一方、利用者側にとっては、経済的なメリットの他に、通常の墓石のように個別に故人のシンボリックな石碑を建てることができるので、日本人の宗教観を損なわずに埋葬することができる。また、個別の埋葬になっているため、合祀墓のようも他人の骨と混ざることがなく、心理的な抵抗感が少ない。カプセル５０で埋葬することにより、樹木葬などと異なり、将来取り出して他の埋葬方法に簡単に変更することもできる。カプセル５０の周囲を土砂２１で覆うことにより、通常のお墓や樹木葬と同じように自然に還れるような落ち着けるイメージを抱くことができる。
【００２８】
また、後継者不在の故人が埋葬されていても他の故人の遺族などがお参りにくることによって通常のお墓よりも花や線香を手向けることが多く、無縁のまま朽ちていくことがない。また、最終的にはこの共同墓１００を管理する寺院の方で永代供養してもらえるといった、多くのメリットを享受することができる。
【００２９】
さらに、本発明の他の実施の形態として図７に示すように、腰石部１０内に合祀部６０を独立して設けるように構成しても良い。すなわち、本発明の共同墓１００は、基本的には他人の遺骨の混ざらないようにカプセル５０ごとに故人の遺骨を単独で納骨するようにしているが、諸般の事情により、それが難しい場合には、他人の遺骨と合わせてその合祀部６０にまとめて納骨できるようにしてもよい。
【００３０】
具体的には、この合祀部６０は図８に示すような蓋石６２を備えた正方形状の台石６１を、腰石部１０内の左右中心の後方に設けたものであり、その台石６１の下に設けた大きめの納骨穴２０に大型のカプセル５０を収容するようにしたものである。なお、図７の例では、この台石６１の大きさは蓋台３０の４つ分の大きさとなっているため、腰石部１０内の蓋台３０および石碑４０はその分だけ少ない合計６０個となっている。
【符号の説明】
【００３１】
１００…共同墓
１０…腰石部
１１…前腰石
１２…後腰石
１３…左腰石
１４…右腰石
１５…銘板
１６…拝石
２０…納骨穴
２１…土砂
２２…仕切板
３０…蓋台
４０…石碑
５０…カプセル
５１…カプセル本体
５２…蓋体
６０…合祀部
６１…台石
６２…蓋石
【図１】
2019206861.tif 000003
【図２】
2019206861.tif 000004
【図３】
2019206861.tif 000005
【図４】
2019206861.tif 000006
【図５】
2019206861.tif 000007
【図６】
2019206861.tif 000008
【図７】
2019206861.tif 000009
【図８】
2019206861.tif 000010